(57)【特許請求の範囲】
【請求項１】
１以上の発光領域から光を出射する発光部と、
前記発光部を覆って、前記１以上の発光領域から出射される光を透過する透過部と、を備え、
前記透過部は、前記発光領域の発光面の法線方向から見て、前記１以上の発光領域に重なる第１領域と前記透過部において前記第１領域よりも外側に位置する第２領域とを備え、
前記第２領域は、前記第１領域よりも色が濃い有色透明であり、短波長領域の光透過率を高波長領域の光透過率より高くしてなる、
ことを特徴とする発光装置。
【請求項２】
前記第１領域は、無色透明である、
ことを特徴とする請求項１に記載の発光装置。
【請求項３】
前記第１領域は、少なくとも一部が有色透明である、
ことを特徴とする請求項１に記載の発光装置。
【請求項４】
前記第２領域は、前記第１領域から第１距離にある領域が前記第１距離よりも短い第２距離にある領域よりも色が濃い、
ことを特徴とする請求項１乃至３のいずれか１項に記載の発光装置。
【請求項５】
前記発光部は、第１電極と、前記第１電極に対向する第２電極と、前記第１電極及び前記第２電極に挟まれ、前記第１電極と前記第２電極とに電圧を印加した場合に発光する発光層と、を備え、
前記発光領域は、前記第１電極と前記第２電極とが重なる領域である、
ことを特徴とする請求項１乃至４のいずれか１項に記載の発光装置。
【請求項６】
前記発光部は、複数の前記発光領域を備え、
前記第１領域は、前記複数の発光領域が集合した領域に重なっている、
ことを特徴とする請求項１乃至５のいずれか１項に記載の発光装置。
【請求項７】
前記第１領域は、前記発光領域の発光面の法線方向から見て、前記複数の発光領域の間に重なる領域が有色透明である、
ことを特徴する請求項６に記載の発光装置。
【請求項８】
前記第１領域は、少なくとも一部が無色透明である、
ことを特徴とする請求項１乃至７のいずれか１項に記載の発光装置。
【請求項９】
前記発光部は、透明基板の一方の面側に形成され、
前記透過部は、透明基板の前記一方の面とは反対側の面側に形成された、
こと特徴とする請求項１乃至８のいずれか１項に記載の発光装置。
【請求項１０】
前記発光部は、透明基板の一方の面側に形成され、
前記透過部は、前記透明基板である、
こと特徴とする請求項１乃至８のいずれか１項に記載の発光装置。
【発明の詳細な説明】
【技術分野】
【０００１】
本発明は、発光装置に関するものである。
【背景技術】
【０００２】
上記の発光装置として、例えば、有機ＥＬ（electroluminescence）を利用した発光装置がある。このような、発光装置では、出射した光について、発光装置の観察者の視野角の変化（観察者の目の位置の変化）により色度の変化が生じるという問題があった。
【０００３】
このような問題を解決するため、例えば、特許文献１には、発光位置から反射層までの光学距離をＬ1とし、第２の電極側の素子端部の反射界面から反射層までの光学距離をＬ2とし、取り出したい出射光の波長域の中心波長をλとしたとき、Ｌ1を波長λの光が干渉により強めあう光学距離とし、Ｌ2を波長λの光が干渉により弱めあう光学距離とする技術が開示されている。
【先行技術文献】
【特許文献】
【０００４】
【特許文献１】特開２００６−２４４７１３号公報
【発明の概要】
【発明が解決しようとする課題】
【０００５】
しかし、特許文献１に記載された技術では、光の干渉を利用しているため、発光装置の発光領域を正面から見た場合における発光装置が出射する光の色度が本来の発光装置が出射する光の色度と異なってしまう場合がある。
【０００６】
本発明は上記点に鑑みてなされたものであり、発光装置の発光領域を正面から見た場合における色度変化を軽減しつつ、かつ視野角の変化による色度の変化を軽減した発光装置を提供することを目的とする。
【課題を解決するための手段】
【０００７】
上記課題を解決するため、本発明に係る発光装置は、
１以上の発光領域から光を出射する発光部と、
前記発光部を覆って、前記１以上の発光領域から出射される光を透過する透過部と、を備え、
前記透過部は、前記発光領域の発光面の法線方向から見て、前記１以上の発光領域に重なる第１領域と前記透過部において前記第１領域よりも外側に位置する第２領域とを備え、
前記第２領域は、前記第１領域よりも色が濃い有色透明であり、短波長領域の光透過率を高波長領域の光透過率より高くしてなる。
【発明の効果】
【０００８】
本発明に係る発光装置によれば、発光時における色度の視野角による変化が軽減され、正面における色度が本来の色度と異なってしまうことが軽減又は防止される。
【図面の簡単な説明】
【０００９】
【図１】本発明の第１実施形態に係る発光装置の構成要素の位置関係を説明するための図。
【図２】本発明の第１実施形態に係る発光装置の構成要素の位置関係を説明するための図。
【図３】本発明の第１実施形態に係る発光装置の構成要素の位置関係を説明するための図。
【図４】図３におけるＸ−Ｘ線の概略断面図。
【図５】本発明の第１実施形態に係る発光装置の色度補正板の透過率スペクトルを示す図。
【図６】本発明の第１実施形態に係る発光装置の色度補正板がある場合とない場合の光のスペクトルを示す図。
【図７】本発明の第１実施形態に係る発光装置の色度補正板がある場合とない場合の光の色度を示す図。
【図８】本発明の第２実施形態に係る発光装置の色度補正板と色の濃さとの関係を示す図。
【図９】本発明の第２実施形態に係る発光装置の色度補正板の透過率を示す図。
【図１０】本発明の実施形態の変形例に係る発光装置の概略断面図。
【発明を実施するための形態】
【００１０】
本発明に係る実施形態について図面を参照して説明する。なお、本発明は下記の実施形態及び図面によって限定されるものではない。下記の実施形態及び図面の内容に変更（構成要素の削除も含む）を加えることができるのはもちろんである。なお、図面において、同一の構成要素が複数描かれている場合には、その一部にのみ符号を付している場合がある。
【００１１】
また、以下の説明では、本発明の理解を容易にするために、重要でない公知の技術的事項の説明を適宜省略している。なお、以下での光とは可視光をいう。
【００１２】
（実施形態１）
図１乃至４のように、発光装置１００は、基板１０１と、第１電極１０２ａと、引き出し線１０２ｂと、発光層１０３と、第２電極１０４ａと、引き出し線１０４ｂと、封止部１０５と、絶縁膜１０９と、円偏光板１１１と、色度補正板（透過部）１１０と、を備える。図１は、基板１０１と、第１電極１０２ａと、引き出し線１０２ｂと、発光層１０３と、第２電極１０４ａと、引き出し線１０４ｂと、絶縁膜１０９についての位置関係を説明する図である。図２は、基板１０１と、第１電極１０２ａと、引き出し線１０２ｂと、絶縁膜１０９と、についての位置関係を説明する図である。図３は、発光層１０３の、一部を露出させて描いた平面図である。図４は、図３における発光装置１００の断面図である。なお、図において、絶縁膜１０９、円偏光板１１１等が覆う各要素は、適宜透かして描かれている。
【００１３】
基板１０１は、ガラス基板等からなる透明基板である。
【００１４】
第１電極１０２ａは、基板１０１の表面上に所定形状（ここでは、帯状）に形成された透明電極である。第１電極１０２ａは、所定形状の引き出し線１０２ｂと繋がっている。引き出し線１０２ｂは、導電線であり、第１電極１０２ａと発光装置１００の外部とを電気的に接続するためのものである。第１電極１０２ａと引き出し線１０２ｂとは、それぞれ複数形成される。第１電極１０２ａと引き出し線１０２ｂとは、例えば、ＩＴＯ（酸化インジウムスズ）によって形成される。例えば、基板１０１上に、スパッタによって電極層を形成、この電極層をフォトリソグラフィーによって所定形状にパターニングする。これによって、第１電極１０２ａと引き出し線１０２ｂとは、基板１０１上に所定形状に形成される。第１電極１０２ａは、ここでは、陽極になる。
【００１５】
絶縁膜１０９は、第１電極１０２ａと引き出し線１０２ｂとが形成された基板１０１上に形成される。絶縁膜１０９は、第１電極１０２ａと第２電極１０４ａとを絶縁するとともに、発光層１０３の形状を規定する。絶縁膜１０９は、引き出し線１０２ｂの一部、第１電極１０２ａの一部等を覆うような形状で形成される。絶縁膜１０９は、外形が矩形で、引き出し線１０２ｂの一部が露出するように形成される。また、絶縁膜１０９は、開口１０９ａを有し、この開口１０９ａによって、第１電極１０２ａが露出する。絶縁膜１０９は、例えば、ポリイミド系の電気絶縁性材料をスピン塗布等によって形成される。
【００１６】
発光層１０３は、絶縁膜１０９の開口１０９ａ内に形成される。発光層１０３は、例えば、正孔輸送層、発光機能層、電子輸送層を備える積層体からなる。これらの層は、例えば、第１電極１０２ａ側から順に正孔輸送層、発光機能層、電子輸送層の順で積層される。正孔輸送層は、第１電極１０２ａから発光層に注入される正孔について、第１電極１０２ａと発光機能層とを橋渡しする。電子輸送層は、後述の第２電極１０４ａ（陰極）から発光機能層に注入される電子について、第２電極１０４ａと発光機能層とを橋渡しする。発光機能層は、前記の正孔及び電子が注入されて実際に発光する層である。正孔輸送層、発光機能層、電子輸送層は、例えば、真空蒸着法によって形成される。また、正孔輸送層は、例えばα−ＮＰＤなどによって形成され、発光機能層は、例えばＡｌｑ３などによって形成され、電子輸送層は、例えばＢＣＰなどによって形成される。発光層１０３は、例えば、白色に発光する。発光層１０３は、帯状に形成され、長尺方向が第１電極１０２ａの長尺方向と直交している。発光層１０３は、複数形成されている。
【００１７】
第２電極１０４ａは、発光層１０３を覆うように所定形状で形成された電極であり、発光層１０３が出射する光を基板１０１側に反射する。第２電極１０４ａは、一部が開口１０９ａ内に形成されるとともに、他の部分が絶縁膜１０９上に形成される。第２電極１０４ａは、帯状に形成され、長尺方向が第１電極１０２ａの長尺方向と直交している。第２電極１０４ａは、所定形状の引き出し線１０４ｂと繋がっている。引き出し線１０４ｂは、導電線であり、第２電極１０４ａと発光装置１００の外部とを電気的に接続するためのものである。引き出し線１０４ｂは、一部が絶縁膜１０９上に形成されるとともに、他の部分が絶縁膜１０９が形成されていない基板１０１上に形成される。第２電極１０４ａと引き出し線１０４ｂとは、それぞれ複数形成される。第２電極１０４ａと引き出し線１０４ｂとは、例えば、アルミによって構成される。第２電極１０４ａと引き出し線１０４ｂとは、真空蒸着法によって形成される。第２電極１０４ａは、陰極になる。
【００１８】
封止部１０５は、第２電極１０４ａ、絶縁膜１０９等を覆い、基板１０１上に形成された第２電極１０４ａ等の各要素を封止して保護する。封止部１０５は、絶縁膜１０９と同様の外形の形状（矩形）で形成され、引き出し線１０２ｂ及び１０４ｂの一部が露出するように形成される。封止部１０５は、封止板１０５ａと封止材１０５ｂとを備える。封止板１０５ａは、ガラス基板等によって構成される封止用の基板である。封止材１０５ｂは、封止板１０５ａと第２電極１０４ａ等の各要素が形成された基板１０１とを密着させる。封止材１０５ｂは、例えば、紫外線硬化型のエポキシ系の接着剤である。
【００１９】
円偏光板１１１は、入射する光の偏光方向を円偏光に変換する。円偏光板１１１は、基板１０１の裏面（前記発光層１０３等が形成された面とは反対側の面）上に貼り付けられることによって配置される。
【００２０】
上記で説明した構成は、発光装置１００の基本的な構成であり、これらの構成は、公知のものを採用できる。基板１０１の裏面の法線方向から見て（図４では下側から見て）、第１電極１０２ａと第２電極１０４ａとが交差する発光層１０３の領域が発光する領域になる。任意の第１電極１０２ａと第２電極１０４ａとに電圧を印加すると、発光層１０３における、この第１電極１０２ａと第２電極１０４ａとが交差する領域が発光する。発光によって発光層１０３から出射される光は、第１電極１０２ａ、基板１０１、円偏光板１１１等を透過し、色度補正板１１０に入射する。色度補正板１１０に入射した光は、色度補正板１１０を透過して外部に出射する（図４の矢印参照）。なお、発光層１０３から出射される光の一部は、第２電極１０４ａで適宜反射して、基板１０１、円偏光板１１１等を透過し、色度補正板に入射する。基板１０１の裏面の法線方向から見て第１電極１０２ａと第２電極１０４ａとが交差する各領域が、発光・非発光を制御する最小単位である画素Ａ（点線で囲んだ領域）になる。第１電極１０２ａと第２電極１０４ａとは、引き出し線１０２ｂ及び１０４ｂとを介して発光装置１００の外部の図示しないドライバに接続される。ドライバは所定のデータに基づいて、所定の第１電極１０２ａと第２電極１０４ａとに電圧を印加する。これによって、所望の位置の画素Ａが発光する。なお、ここでは、第１電極１０２ａと、発光層１０３と、第２電極１０４ａと、によって、発光部が構成される。また、画素Ａを、発光部の発光領域とする。また、基板１０１の裏面の法線方向は、発光部の発光領域の発光面（ここでは、第１電極１０２ａの基板１０１側の面）の法線方向となる。
【００２１】
色度補正板１１０は、発光層１０３が出射する光の色度を補正する。色度補正板１１０は、第１領域１１０ａと、第２領域１１０ｂとを有する。基板１０１の裏面の法線方向から見て、複数の発光領域を覆う部分（発光領域と重なる部分）が第１領域１１０ａになる。特に、ここでは、第１領域１１０ａは、複数の発光領域が集合した領域に重なる部分である。また、基板１０１の裏面の法線方向から見て、第２領域１１０ｂは、第１領域１１０ａ（発光領域）に隣接するとともに、色度補正板１１０において、第１領域１１０ａよりも外側に位置する。つまり、基板１０１の裏面の法線方向から見て、第２領域１１０ｂは発光領域の周囲に位置し、発光領域を覆っていない。第２領域１１０ｂは、第１領域１１０ａを囲む。
【００２２】
第１領域１１０ａは、無色透明である。第２領域１１０ｂは、有色透明である。色度補正板１１０（第１領域１１０ａ及び第２領域１１０ｂ）は、合成樹脂によって一枚の板状に一体的に形成される。第２領域１１０ｂは、例えば、合成樹脂に所定の顔料が混ぜられて形成される。第２領域１１０ｂは、この顔料等の着色材によって所定の色に着色されて有色透明となっている。無色透明とは、白色光が透過したときに色度が略変化しない状態（理想的には、全く変化しない状態）であり、例えば、着色材等によって着色されていない（又は略着色されていない）状態をいい、有色透明とは、着色材等によって着色された状態という。なお、以下で言及される、色の濃い薄い（以下、適宜色の濃度とも表現する。）は、例えば、着色材の含有量の多少等による着色の度合いで表すことができ、色が濃いとは、例えば、着色材等の量が多く着色の度合いが大きいことをいい、色が薄いとは、例えば、着色材等の量が少なく（無い場合も含む。）着色の度合いが小さいことをいう。また、色が変化するとは、着色材等の量が変化して着色の度合いが変化することをいう。
【００２３】
円偏光板１１１から出射される光（従来の発光装置が出射する光、以下、出射光という。）の色度は、特に出射光が白色光等の複数の波長の光の集合である場合に、視野角θによって変化する。ここで、視野角θとは、発光領域の中心へのユーザ等の視線についての角度であり、基板１０１の裏面の法線方向（発光領域の中心の法線方向）に対して傾いた方向の角度である（図４参照）。視野角θは、発光装置の正面、つまり、基板１０１の裏面の法線方向に観察者の目がある場合には、０になる。出射光の色度が視野角θによって変化する理由は、第２電極１０４ａにおける反射、第１電極１０２ａ及び基板１０１等の屈折率等を原因として、視野角θが変化すると光学的距離（屈折率×距離）が変化し、これによって光の干渉、散乱等の度合いが異なってしまうことにある。特に、視野角θが大きくなるにつれて、所定の波長域の光が特に弱くなっていく。これによって、出射光のスペクトルのバランス（各波長域の相対的な値）が変化してしまい、色度が異なることになる。
【００２４】
そこで、本実施形態では、視野角θが０°より大きいような、斜めに出射される光は、色度補正板１１０の第２領域１１０ｂを通るように、色度補正板１１０を構成して配置する。具体的には、第１領域１１０ａと第２領域１１０ｂとの厚さ、位置等を調整し、斜めに出射される光が色度補正板１１０の第２領域１１０ｂを通るように、色度補正板１１０を構成して配置する。第２領域１１０ｂは、有色透明であり、ある波長域の光の透過率は良く、ある波長域の光の透過率は低い。これによって、視野角θが大きい方向に進む光は、第２領域１１０ｂを透過し、この第２領域１１０ｂで、上記弱くなる波長域とは異なる他の波長域の光が透過されにくい。これによって、本来のスペクトル（視野角θが０°の場合のスペクトル）に比べてスペクトルのバランスが変化しにくくなり、色度の変化が低減される。また、第１領域１１０ａは、第２領域１１０ｂよりも色が薄い（ここでは、無色透明）であるため、出射光の色度は第２領域１１０ｂよりも変化しない（特にここでは殆ど変化しない）。以上から本実施形態における発光装置１００によれば、発光時における色度の視野角による変化が軽減され、正面における色度が本来の色度と異なってしまうことが軽減又は防止される。また、本実施形態における発光装置１００によれば、発光装置１００の基本的な構成を従来の発光装置と同様にできる。このため、例えば、第１電極１０２ａを薄くする等して、光学的距離の変化を抑えるといった工夫も不要になる。第１電極１０２ａが薄くなると、抵抗値が増加し、発光装置１００を発光させる駆動電圧が大きくなってしまうといった不都合が生じる。
【００２５】
以下、本実施形態の実施例を説明する。
【００２６】
（実施例１）
本実施例に係る発光装置は、発光装置１００と同様の断面構成を有する。そして、発光装置１００は、製法、材料等についても上記で例示したものを採用した。また、ここでは、発光層１０３は白色に発光する。上記の画素Ａ間のドットピッチ（画素Ａの始まりから次の画素Ａの始まりまでの長さ）は、縦横、それぞれ、０．１６ｍｍとした。また、画素Ａのサイズは、０．１４５ｍｍ×０．１４５ｍｍとした。また、画素Ａは、６４×１２８の数でマトリクス状に配置されている。このような発光パネル（発光装置１００から色度補正板１１０を除いたもの）は、表示装置として約１インチの大きさとなる。
【００２７】
発光パネルの発光領域（画素Ａの集合の領域）の外側には、引き出し線１０２ｂ，１０４ｂ等が位置する。発光パネルの外形は、約３０ｍｍ×約１９ｍｍであるが、発光領域は、約２３ｍｍ×約１２ｍｍである。また、円偏光板１１１の厚さは、約３００μｍである。
【００２８】
色度補正板１１０は、厚さ約２ｍｍであり、外形は発光パネルと略同様である。第１領域１１０ａは、発光領域に重なる。第２領域１１０ｂは、例えばフタロシアニン顔料を含有している。第１領域１１０ａは、無色透明であり、波長が４３０ｎｍ〜８００ｎｍである光の透過率が９８％の領域になっている。このため、第１領域１１０ａは、各波長の光を略均一に透過する。発光パネルが出射する白色光が第１領域１１０ａを透過したときの透過スペクトルを図５に示す（図５の０°）。発光パネルが出射する白色光の色度は、第１領域１１０ａを通過する場合には、殆ど変化しない。
【００２９】
第２領域１１０ｂは、発光パネルが出射する白色光のうち、高波長領域の光の透過率が低下するように、着色された領域である。視野角４５°の位置で発光パネルが出射する白色光が第１領域１１０ａと第２領域１１０ｂとを透過したときの透過スペクトルを図５に示す（図５の４５°）。この第２領域１１０ｂは、低い波長の光についての透過率が高波長領域の透過率よりも高いので、青みがかった色を有する。
【００３０】
発光パネルから斜め方向（θ＞０）に出射する光は、第１領域１１０ａを透過し、第２領域１１０ｂを透過するので、この光は、第２領域１１０ｂでスペクトルが変化する（特にここでは、高波長領域が低い値になる。）。これによって、発光パネルから斜め方向に出射し、第２領域１１０ｂを透過して出射する光は、色度が補正される。なお、上記のような発光装置１００では、一般に、視野角が大きくなる程、波長が短い領域の光のスペクトルの値が小さくなる。このため、第２領域１１０ｂでは、低波長領域の透過率が高波長領域の透過率よりも高くなっていることによって、上記のようにスペクトルのバランスが変化しにくくなり、色度の変化が低減されることになる。
【００３１】
図６に、発光パネルが出射した光（色度補正板がない場合の光）の放射強度（輝度）のスペクトルを、視野角が０°の位置、４５°の位置で測定した測定結果と、発光装置１００が出射した光（色度補正板１１０を通過した光）の放射強度（輝度）のスペクトルを、視野角が０°の位置、４５°の位置で測定した測定結果とを示すものである。
【００３２】
発光パネルが出射した光のスペクトルでは、視野角が０°の位置と、４５°の位置とを比べると、４５°の位置では、視野角が０°の位置に比べ、低波長領域（４７０ｎｍ付近の領域）の光の輝度が他の波長領域の光の輝度よりも大きく下がっている（図６参照）。このため、発光パネルでは、視野角の大きさの変化によって、低波長領域の輝度が下がり、光の色度が変化してしまっていることが分かる。
【００３３】
発光装置１００が出射した光のスペクトルでは、視野角が０°の位置と、４５°の位置とを比べると、低波長領域と、高波長領域（５８０ｎｍ付近の領域）とで、輝度が４５°の位置で低下しているが、スペクトルの形状（スペクトルのバランス）は、略同様である。これは、第２領域１１０ｂの透過率が高波長領域の光について低いため、第２領域１１０ｂが高波長領域の光を低波長領域の光よりも透過させないためである。このため、発光装置１００が出射した光の色度は、視野角が０°の位置と、４５°の位置とで略変わらないことになる。また、０°のときのスペクトルの形状（スペクトルのバランス）も、色度補正板１１０が有るときと無いときで略同様になっている。このため、色度補正板１１０があっても、視野角が小さいときは、発光装置１００が出射した光の色度は色度補正板１１０が無いときに比べ略変化しないことになる。
【００３４】
このことは、図７に示された表においても裏付けられている。図７の表は、発光パネルが出射した光の色度を、視野角が０°の位置、４５°の位置で測定した測定結果と、発光装置１００が出射した光の色度を、視野角が０°の位置、４５°の位置で測定した測定結果とを示すものである。図７のように、発光パネルが出射した光の色度は、０°の位置と、４５°の位置とで変化しているが、発光装置１００が出射した光の色度は、視野角が０°の位置と、４５°の位置とで略変わっていない。このため、色度補正板１１０が、色度を補正していることになる。さらに、視野角が０°において、色度補正板１１０があってもなくても、色度は略変化していない。
【００３５】
以上から明らかなように、本実施形態における構成を有する発光装置１００（第１領域１１０ａは無色透明で、第２領域１１０ｂは有色透明である発光装置１００）では、発光時における色度の視野角による変化が軽減され、正面における色度が本来の色度と異なってしまうことが軽減又は防止されることになる。なお、第１領域１１０ａよりも第２領域１１０ｂの方が、色が濃い有色透明になっていればよく、第１領域１１０ａが有色透明であってもよい場合もある。これによっても、発光時における色度の視野角による変化が軽減され、正面における色度が本来の色度と異なってしまうことが軽減される。
【００３６】
なお、発光パネルから斜め方向に出射する光は、θの大きさによって、第２領域１１０ｂを通過する距離が異なる（色度補正板１１０の厚さ×１／ｃｏｓθとなる。）。このため、この視野角θに応じた色度の補正が可能になる。
【００３７】
（実施形態２）
実施形態２では、実施形態１の色度補正板１１０が色度補正板２１０に変更される（図８参照）。色度補正板１１０の第２領域１１０ｂは、基板１０１の裏面の法線方向から見て、均一に着色されており、色の濃さは均一であった。色度補正板２１０は、基板１０１の裏面の法線方向から見て、第１領域２１０ａ（第１領域１１０ａに対応する。詳細な説明は上記参照。）の中心から第２領域２１０ｂ（第２領域１１０ｂに対応する。詳細な説明は上記参照。）の縁にかけて、徐々に色が濃くなるように（濃度が高くなるように）形成される。これによって、色度補正板２１０は、全体として有色透明であるが、外側に行くにつれて徐々に色が濃くなっている（図８参照）。図８は、色度補正板２１０と色の濃さとの関係を示す図である。このような色度補正板２１０は、合成樹脂に含有させる顔料の量を外側に行くにつれて徐々に増やしていくことによって得られる。なお、第１領域２１０ａは、少なくとも一部が有色透明であればよく、例えば、中央の領域は無色透明であってもよい。これによって、視野角が０°の場合の色度の変化がより抑制できる。
【００３８】
上記のように、発光パネルから出射される光のうちの所定の波長領域の光は、視野角が大きくなるにつれて、輝度が小さくなる。このため、この変化に応じて、色度補正板１１０の色の濃さを調整することによって、色度についてより適正な補正がなされる。例えば、色度補正板２１０は、図９に示すような透過特性を有するものとして形成するとよい。これによって、視野角が大きくなるにつれて高波長領域について透過率が下がっているため実施形態１と同様に、色度についてより適正な補正がなされる（但し、正面の輝度が実施形態１よりも落ちる場合がある。）。なお、図９は、発光装置１００に色度補正板１１０の代わりに色度補正板２１０を採用した場合において、発光パネルが出射する光について、視野角θを徐々に変化させた位置での、波長が４７０ｎｍの光の透過率と５８０ｎｍの光の透過率とを測定した測定結果である。
【００３９】
なお、実施形態２では、色が徐々に変化していくとしたが、第１領域２１０ａの中心から所定距離以上の領域については、色が変化しなくてもよい。また、色は、所定の距離毎に色が所定量濃くなるというように、非連続的に変化してもよい。また、第１領域２１０ａのみ、無色透明であってもよい。第２領域２１０ｂは第１領域２１０ａから第１距離にある領域が第１距離よりも短い第２距離にある領域よりも色が濃ければ、上記効果がある程度得られる。また、色が変化するとは、基板１０１の法線方向から見て色が変化することをいう。色度補正板２１０は、着色された領域が異なる複数のフィルムを重ね合わせて形成されてもよい。
【００４０】
実施形態２についての他の説明は、実施形態１の説明に準じるので説明を省略する。
【００４１】
（変形例）
上記各実施形態については、様々な変更が可能である。例えば、発光領域は、１つであってもよい。これによっても、上記と同様の効果が得られる。この場合には、基板１０１の裏面の法線方向から見て、第１領域１１０ａは、一の発光領域に重なる領域となり、第２領域１１０ｂは、第１領域１１０ａよりも色度補正板１１０における外側に位置し、例えば、この第１領域１１０ａの周囲を囲む。また、第１領域１１０ａは、基板１０１の裏面の法線方向から見て、各画素Ａの間（図３参照）と重なる位置において第２領域１１０ｂと同様の有色透明な領域を備えても良い。つまり、有色透明な領域が、基板１０１の裏面の法線方向から見て、格子状に形成されてもよい。これによって、より適切な色度補正が可能になる。
【００４２】
また、色度補正板１１０又は２１０が基板１０１の代わりになってもよい（図１０参照）。なお、図１０では、色度補正板１１０を採用しているが、同様に色度補正板２１０であってもよい。この場合、例えば、色度補正板１１０又は２１０の表面（光の出射面の反対の面）に、発光部等が積層して形成される。これによって、発光装置は薄型になる。この場合、色度補正板１１０は、ＰＥＴ（ポリエチレンテレフタレート）、ＰＥＮ（ポリエチレンナフタレート）、ＰＥＳ（ポリエーテルサルフォン）等の合成樹脂板等によって構成される。また、色度補正板１１０は、合成樹脂板等に形成されたバリア層を備えても良い。バリア層は発光装置内への水の侵入を防ぐためのものである。また、バリア層は、例えば、ＳｉＯ２、ＳｉＮ、ＳｉＯＮ、ＳｉＯＣ等によって、膜厚２００ｎｍ〜６００ｎｍで形成される。色度補正板１１０又は２１０は、発光部よりも、発光装置の光出射面側に有ればよい。発光パネルの構造は、上記に限らず、様々な構造を採用できる。
【００４３】
また、上記では、発光装置は画素Ａを有するディスプレイ等として説明したが、発光装置は、照明装置であってもよい。また、上記では、パッシブ型の有機ＥＬ発光装置について説明したが、発光装置は、アクティブ型の有機ＥＬ発光装置であってもよく、視野角によって出射する光のスペクトルが変化する他の発光装置（例えば、液晶装置）等であってもよい。
【符号の説明】
【００４４】
１００        発光装置
１０２ａ      第１電極
１０２ｂ      引き出し線
１０３        発光層
１０４ａ      第２電極
１０４ｂ      引き出し線
１０５        封止部
１０９        絶縁膜
１１０        色度補正板（透過部）
１１０ａ      第１領域
１１０ｂ      第２領域
１１１        円偏光板
２１０        色度補正板（透過部）
２１０ａ      第１領域
２１０ｂ      第２領域
【図１】
0005540727.tif 000002
【図２】
0005540727.tif 000003
【図３】
0005540727.tif 000004
【図４】
0005540727.tif 000005
【図５】
0005540727.tif 000006
【図６】
0005540727.tif 000007
【図７】
0005540727.tif 000008
【図８】
0005540727.tif 000009
【図９】
0005540727.tif 000010
【図１０】
0005540727.tif 000011